(57)【要約】【課題】開封時の操作性を改善したヒンジキャップを提供する。【解決手段】容器本体Ｗの口部Ｗ１に装着されるとともに、天壁部１１に内容物の注出孔１２が形成された有頂筒状のキャップ本体１３と、天壁部を開閉する有頂筒状の蓋本体１４を有する蓋体１５と、を備えるとともに、蓋本体が、キャップ本体にヒンジ部１６を介して連結され、キャップ本体は、天壁部に破断可能な第１弱化部１７を介して連結され、かつ注出孔を閉塞する中栓１８を備え、蓋本体の頂壁部１９に、上下方向に貫いて中栓に向けて開口した挿入孔２１が形成され、蓋体は、蓋本体に対する下方移動が規制された状態で、挿入孔に挿入され、かつ中栓に装着された装着体２２を備え、装着体は、キャップ本体および蓋本体を形成する材質とは異なる材質で形成されている。【選択図】図２
2020193028.tif 000002
【特許請求の範囲】
【請求項１】
容器本体の口部に装着されるとともに、天壁部に内容物の注出孔が形成された有頂筒状のキャップ本体と、
前記天壁部を開閉する有頂筒状の蓋本体を有する蓋体と、を備えるとともに、前記蓋本体が、前記キャップ本体にヒンジ部を介して連結され、
前記キャップ本体は、前記天壁部に破断可能な第１弱化部を介して連結され、かつ前記注出孔を閉塞する中栓を備え、
前記蓋体は、前記蓋本体に対する下方移動が規制された状態で、前記中栓に装着された装着体を備え、
前記装着体は、前記キャップ本体および前記蓋本体を形成する材質とは異なる材質で形成されている、ヒンジキャップ。
【請求項２】
前記中栓は、上下方向に延びる内筒、および上下方向に延び、かつ前記内筒を径方向の外側から囲う外筒を備え、
前記装着体は、筒状に形成されるとともに、前記内筒の外周面および前記外筒の内周面の双方に嵌合した装着筒を備えている、請求項１に記載のヒンジキャップ。
【請求項３】
前記外筒の外周面に、径方向の外側に向けて突出した係合凸部が形成され、
前記蓋本体の頂壁部に、下方に向けて突出し、前記外筒を径方向の外側から囲う囲繞筒が設けられ、
前記囲繞筒の内周面に、径方向の内側に向けて突出し、前記係合凸部に前記係合凸部の下方から当接可能な突上げ部が形成されている、請求項２に記載のヒンジキャップ。
【請求項４】
前記第１弱化部は、上下方向から見て前記ヒンジ部に最も近い部分から、周方向に沿って離れるに従い、下方に向けて延びている、請求項１から３のいずれか１項に記載のヒンジキャップ。
【請求項５】
前記蓋本体は、径方向の外側に向けて突出し、上方に向けて変形可能に形成された操作突片を備え、
前記操作突片の上面に被覆片が設けられ、
前記被覆片は、前記装着体に破断可能な第２弱化部を介して連結されている、請求項１から４のいずれか１項に記載のヒンジキャップ。
【請求項６】
前記装着体は、前記キャップ本体および前記蓋本体を形成する材質より硬質の材質で形成されている、請求項１から５のいずれか１項に記載のヒンジキャップ。
【発明の詳細な説明】
【技術分野】
【０００１】
本発明は、ヒンジキャップに関するものである。
【背景技術】
【０００２】
特許文献１には、容器本体の口部に固定される固定部と、固定部に対してヒンジ部回りに回転可能に連結された有頂筒状の蓋体と、を備えたヒンジキャップが開示されている。固定部は、内容物の注出孔が形成されるとともに、口部を覆う被覆板と、被覆板に破断可能な弱化部を介して接続されるとともに、注出孔を閉塞する抜栓部と、を有している。
【先行技術文献】
【特許文献】
【０００３】
【特許文献１】特開２０１６−２２２３１０号公報
【発明の概要】
【発明が解決しようとする課題】
【０００４】
前記ヒンジキャップでは、蓋体を固定部に対してヒンジ部回りに回転させた後に、抜栓部のプルリングを引き上げ、弱化部を破断させることで、注出孔が開放される。このような操作を行うため、開封時の操作性について改善の余地があった。
【０００５】
本発明はこのような事情を考慮してなされ、開封時の操作性を改善したヒンジキャップを提供することを目的とする。
【課題を解決するための手段】
【０００６】
上記課題を解決して、このような目的を達成するために、本発明のヒンジキャップは、容器本体の口部に装着されるとともに、天壁部に内容物の注出孔が形成された有頂筒状のキャップ本体と、前記天壁部を開閉する有頂筒状の蓋本体を有する蓋体と、を備えるとともに、前記蓋本体が、前記キャップ本体にヒンジ部を介して連結され、前記キャップ本体は、前記天壁部に破断可能な第１弱化部を介して連結され、かつ前記注出孔を閉塞する中栓を備え、前記蓋体は、前記蓋本体に対する下方移動が規制された状態で、前記中栓に装着された装着体を備え、前記装着体は、前記キャップ本体および前記蓋本体を形成する材質とは異なる材質で形成されている。
【０００７】
この発明によれば、蓋体が、蓋本体に対する下方移動が規制された状態で、中栓に装着された装着体を備えているので、蓋本体をヒンジ部回りに上方に向けて回転させると、装着体も中栓とともにキャップ本体の天壁部から上昇することで、第１弱化部が引張されて破断され、注出孔が開放される。
このように、例えば蓋本体を開いた後で第１弱化部を破断するのではなく、蓋本体を開く操作に連動させて第１弱化部を破断し注出孔を開放することができる。したがって、開封時の操作性を向上させることができる。
装着体が、キャップ本体および蓋本体を形成する材質とは異なる材質で形成されているので、前述のように第１弱化部を破断して注出孔を開放させるのに好適な、装着体の材質を、例えば内容物の種類等に依らず、適宜選択することができる。
【０００８】
前記中栓は、上下方向に延びる内筒、および上下方向に延び、かつ前記内筒を径方向の外側から囲う外筒を備え、前記装着体は、筒状に形成されるとともに、前記内筒の外周面および前記外筒の内周面の双方に嵌合した装着筒を備えてもよい。
【０００９】
この場合、装着体が、中栓における内筒の外周面および外筒の内周面の双方に嵌合した装着筒を備えているので、装着筒を、内筒および外筒により径方向の両側から挟み込むことが可能になり、前述のように注出孔を開放させるときに、中栓が装着体から外れるのを抑制することができる。
【００１０】
前記外筒の外周面に、径方向の外側に向けて突出した係合凸部が形成され、前記蓋本体の頂壁部に、下方に向けて突出し、前記外筒を径方向の外側から囲う囲繞筒が設けられ、前記囲繞筒の内周面に、径方向の内側に向けて突出し、前記係合凸部に前記係合凸部の下方から当接可能な突上げ部が形成されてもよい。
【００１１】
この場合、囲繞筒の内周面に、径方向の内側に向けて突出し、外筒の外周面に形成された係合凸部に係合凸部の下方から当接可能な突上げ部が形成されているので、蓋本体をヒンジ部回りに上方に向けて回転させたときに、中栓の外筒が、突上げ部および装着筒により径方向の両側から引き上げられることとなり、中栓が装着体から外れるのを抑制することができる。
【００１２】
前記第１弱化部は、上下方向から見て前記ヒンジ部に最も近い部分から、周方向に沿って離れるに従い、下方に向けて延びてもよい。
【００１３】
この場合、第１弱化部が、上下方向から見てヒンジ部に最も近い部分から、周方向に沿って離れるに従い、下方に向けて延びているので、蓋本体をヒンジ部回りに上方に向けて回転させたときに、まず、第１弱化部のうち、上下方向から見てヒンジ部から最も離れた部分が破断し、その後、上下方向から見てヒンジ部に最も近い部分に向けて、順次、周方向に沿って破断することとなり、第１弱化部を周方向の全長にわたって容易に破断することができる。
【００１４】
前記蓋本体は、径方向の外側に向けて突出し、上方に向けて変形可能に形成された操作突片を備え、前記操作突片の上面に被覆片が設けられ、前記被覆片は、前記装着体に破断可能な第２弱化部を介して連結されてもよい。
【００１５】
この場合、操作突片の上面に設けられた被覆片が、装着体に破断可能な第２弱化部を介して連結されているので、前述のように注出孔を開放させるために、操作突片を操作突片の下側から突上げたときに、操作突片が上方に向けて変形することで、被覆片が操作突片により突上げられ、第２弱化部が破断されることとなる。これにより、未開封状態と、蓋体を開いた後、再度、蓋体を閉じた状態と、を、被覆片の有無で見分けることが可能になり、未開封状態であるか否かを外観で確実に判別することができる。
【００１６】
前記装着体は、前記キャップ本体および前記蓋本体を形成する材質より硬質の材質で形成されてもよい。
【００１７】
この場合、装着体が、キャップ本体および蓋本体を形成する材質より硬質の材質で形成されているので、装着体を中栓に強固に装着することが可能になり、前述のように注出孔を開放させるときに、中栓が装着体から外れるのを抑制することができる。
【発明の効果】
【００１８】
本発明によれば、開封時の操作性を改善したヒンジキャップを提供することができる。
【図面の簡単な説明】
【００１９】
【図１】本発明に係る第１実施形態として示したヒンジキャップの上面図である。
【図２】図１に示すヒンジキャップのＩＩ−ＩＩ線矢視断面図である。
【図３】図２に示すヒンジキャップにおいて開封状態を示す図である。
【図４】本発明に係る第２実施形態として示したヒンジキャップの上面図である。
【図５】図４に示すヒンジキャップのＶ−Ｖ線矢視断面図である。
【発明を実施するための形態】
【００２０】
以下、図面を参照し、本発明の第１実施形態に係るヒンジキャップ１について説明する。
本実施形態のヒンジキャップ１は、図１から図３に示されるように、容器本体Ｗの口部Ｗ１に装着されるとともに、天壁部１１に内容物の注出孔１２が形成された有頂筒状のキャップ本体１３と、キャップ本体１３の天壁部１１を開閉する有頂筒状の蓋本体１４を有する蓋体１５と、を備え、蓋本体１４が、キャップ本体１３にヒンジ部１６を介して連結されている。キャップ本体１３および蓋本体１４は、同じ材質で一体に形成されている。
【００２１】
キャップ本体１３、および蓋本体１４は、共通軸と同軸に配設されている。以下、この共通軸をキャップ軸Ｏといい、キャップ軸Ｏに沿って、蓋本体１４の頂壁部１９側を上側といい、キャップ本体１３の周壁部３６の開放端側を下側という。上下方向から見て、キャップ軸Ｏに交差する方向を径方向といい、キャップ軸Ｏ回りに周回する方向を周方向という。上下方向から見て、キャップ軸Ｏに対してヒンジ部１６が位置している側を後方といい、キャップ軸Ｏに対してヒンジ部１６の反対側を前方という。
【００２２】
キャップ本体１３の周壁部３６内に、口部Ｗ１がアンダーカット嵌合されている。キャップ本体１３の天壁部１１に、下方に向けて突出し、口部Ｗ１内に密に嵌合されたシール筒１１ａが形成されている。天壁部１１の外周縁部に、上方に向けて突出し、蓋本体１４の周壁部３４が着脱可能に嵌合された取付筒３３が形成されている。
天壁部１１の上面に、上方に向けて突出した注出筒３５が設けられている。注出筒３５の内側は、天壁部１１を上下方向に貫いており、注出筒３５の内側が内容物の注出孔１２となっている。注出筒３５は、キャップ軸Ｏと同軸に配設されている。注出筒３５の上端開口縁のうちの後部は、後方に向かうに従い、下方に向けて延びている。
【００２３】
キャップ本体１３は、天壁部１１に破断可能な第１弱化部１７を介して連結され、かつ注出孔１２を閉塞する中栓１８を備えている。中栓１８は、注出孔１２の内周面に第１弱化部１７を介して連結されている。
【００２４】
中栓１８は、上下方向に延びる内筒２３、および上下方向に延び、かつ内筒２３を径方向の外側から囲う外筒２４を備えている。内筒２３および外筒２４それぞれの上下方向の大きさは、互いに同じになっている。内筒２３および外筒２４それぞれの上下方向の位置は、互いに同じになっている。内筒２３および外筒２４は、キャップ軸Ｏと同軸に配設されている。内筒２３および外筒２４それぞれの上端部は、注出筒３５の上端部より上方に位置している。内筒２３および外筒２４それぞれの下端部同士は、環状の連結板１８ａを介して連結されている。
【００２５】
なお、内筒２３および外筒２４それぞれの上下方向の大きさを、互いに異ならせてもよい。内筒２３および外筒２４それぞれの上下方向の位置を、互いに異ならせてもよい。内筒２３および外筒２４は、キャップ軸Ｏに対して偏心して設けられてもよい。内筒２３および外筒２４それぞれの上端部は、注出筒３５の上端部に対して上下方向の同じ位置に位置してもよいし、下方に位置してもよい。
【００２６】
内筒２３は、有頂筒状に形成されている。なお、内筒２３は、上方に向けて開口した筒状に形成されてもよい。内筒２３の内側には、内筒２３の内周面のうち、径方向で互いに対向する部分同士を連結した補強板が設けられている。補強板は、キャップ軸Ｏ回りに２つ設けられている。内筒２３の外周面に、径方向の外側に向けて突出した第１係合凸部２３ａが形成されている。
【００２７】
外筒２４は、上方に向けて開口した筒状に形成されている。外筒２４の外周面に、径方向の外側に向けて突出した第２係合凸部（係合凸部）２５が形成されている。第２係合凸部２５は、外筒２４の上端部に形成されている。なお、第２係合凸部２５は、外筒２４のうち、上端部より下方に位置する部分に設けてもよい。第２係合凸部２５は、キャップ軸Ｏに沿う縦断面視で、径方向の外側に向けて突の曲面状を呈する。
【００２８】
第１弱化部１７は、外筒２４の外周面の下端部と、注出孔１２の内周面と、を連結している。第１弱化部１７は、周方向の全長にわたって連続して延びている。第１弱化部１７は、上下方向から見てヒンジ部１６に最も近い部分、つまり後端部から、周方向に沿って前方に離れるに従い、下方に向けて延びている。外筒２４および内筒２３の各下端開口縁、並びに連結板１８ａの下面も、第１弱化部１７と同様に、後端部から、周方向に沿って前方に離れるに従い、下方に向けて延びている。図示の例では、外筒２４および内筒２３の各下端開口縁、並びに連結板１８ａの下面は、キャップ軸Ｏに沿う縦断面視で、後方から前方に向かうに従い、下方に向けて延びる同一直線上に位置している。
【００２９】
注出孔１２は、第１弱化部１７、および中栓１８により閉塞されている。周方向の全長にわたって連続して延びている第１弱化部１７、および中栓１８が、注出孔１２の内周面と一体に形成されている。これにより、注出孔１２の密封性を容易に確保することができる。
【００３０】
蓋本体１４の頂壁部１９に、上下方向に貫いて中栓１８に向けて開口した挿入孔２１が形成されている。挿入孔２１は、キャップ軸Ｏと同軸に配設されている。頂壁部１９に、下方に向けて突出し、外筒２４を径方向の外側から囲う囲繞筒２６が設けられている。囲繞筒２６は、頂壁部１９の下面における挿入孔２１の開口周縁部から下方に向けて延びている。囲繞筒２６は、注出孔１２内のうち、第１弱化部１７との接続部分より上方に位置する部分に着脱可能に密に嵌合されている。
【００３１】
囲繞筒２６の内周面に、径方向の内側に向けて突出し、第２係合凸部２５に第２係合凸部２５の下方から当接可能な突上げ部２７が形成されている。突上げ部２７の径方向の内側に向けた突出量は、上方に向かうに従い、大きくなっている。突上げ部２７の上端面は、上方を向く平坦面となっている。突上げ部２７の上端部の外周面は、外筒２４の外周面に当接、若しくは近接している。
【００３２】
蓋本体１４は、径方向の外側に向けて突出し、上方に向けて変形可能に形成された操作突片２８を備えている。操作突片２８は、蓋本体１４の周壁部３４のうち、前端部を含む前部に設けられている。操作突片２８の周方向の中央部は、周壁部３４の前端部に位置している。操作突片２８は、周壁部３４の下端部に設けられている。
【００３３】
操作突片２８は、上下方向から見て、周方向に長い長方形状を呈する。操作突片２８のうちの後端部２８ｂは、他の部分より薄肉に形成されている。操作突片２８は、後端部２８ｂ回りに上方に向けて回転変形可能に形成されている。操作突片２８を、後端部２８ｂ回りに上方に向けて回転変形させたときに、蓋本体１４の周壁部３４のうち、操作突片２８に連なる部分も変形することで、周壁部３４がキャップ本体１３の取付筒３３から外れやすくなっている。
操作突片２８の前端部には、上方に向けて突出し、周方向に延びる横リブ２８ａが形成されている。横リブ２８ａは、操作突片２８の前端部のうち、周方向の両端部を除く、周方向の全域にわたって設けられている。横リブ２８ａは、上下方向に沿う縦断面視で、上方に向けて突の曲面状を呈する。
【００３４】
蓋体１５は、蓋本体１４に対する下方移動が規制された状態で、中栓１８に装着された装着体２２を備えている。装着体２２は、装着筒３７、および支持部３８を備えている。
【００３５】
装着筒３７は、挿入孔２１に挿入されている。装着筒３７は、筒状に形成されるとともに、内筒２３の外周面および外筒２４の内周面の双方に嵌合している。装着筒３７の内周面には、径方向の内側に向けて突出し、内筒２３の第１係合凸部２３ａにアンダーカット嵌合した第３係合凸部３７ａが形成されている。
【００３６】
装着筒３７の外周面には、径方向の外側に向けて突出した爪突起３７ｂが形成されている。爪突起３７ｂの径方向の外側に向けた突出量は、上方に向かうに従い、大きくなっている。爪突起３７ｂの上端部における径方向の外端部は、斜め上方に向けて尖っている。爪突起３７ｂは、上下方向に間隔をあけて複数設けられている。爪突起３７ｂは、周方向の全長にわたって連続して延びている。爪突起３７ｂは、外筒２４の内周面に食い込んでいる。
【００３７】
支持部３８は、装着筒３７の上端部から径方向の外側に向けて突出している。支持部３８は、板状に形成されている。支持部３８は、蓋本体１４の頂壁部１９の上面に載置されている。支持部３８は、装着筒３７の上端開口を閉塞している。なお、支持部３８は、装着筒３７の上端開口を開放したフランジ状に形成されてもよい。支持部３８は、上下方向から見て円形状を呈し、キャップ軸Ｏと同軸に配設されている。支持部３８は、頂壁部１９の上面のうち、外周縁部を除く全域にわたって載置されている。支持部３８は、頂壁部１９の上面に形成された上窪み部１９ａに嵌合されている。支持部３８の上面は、頂壁部１９の外周縁部の上面と面一になっている。なお、頂壁部１９の上面に上窪み部１９ａを形成しなくてもよい。
【００３８】
操作突片２８の上面に被覆片２９が設けられている。被覆片２９は、操作突片２８の上面に設けられ、かつ表裏面が上下方向を向く横壁３１と、蓋本体１４の周壁部３４の外周面に設けられ、かつ表裏面が径方向を向く立壁３２と、を備えている。立壁３２は、横壁３１における径方向の内端部から上方に向けて延びている。被覆片２９、および操作突片２８それぞれの周方向の大きさは、互いに同等になっている。被覆片２９、および操作突片２８それぞれの周方向の位置は、互いに同等になっている。
【００３９】
横壁３１は、操作突片２８の上面を全域にわたって覆っている。立壁３２は、蓋本体１４の周壁部３４の外周面に形成された横窪み部３４ａに嵌合されている。横窪み部３４ａの上端部は、上窪み部１９ａの径方向の外端部に接続されている。
横壁３１の下面には、上方に向けて窪み、周方向に延びる横溝３１ａが形成されている。横溝３１ａは、横壁３１の下面のうち、周方向の両端部を除く、周方向の全域にわたって設けられている。横溝３１ａは、上下方向に沿う縦断面視で、上方に向けて突の曲面状を呈する。横溝３１ａ内に横リブ２８ａが配設されている。
【００４０】
被覆片２９は、装着体２２に破断可能な第２弱化部３０を介して連結されている。第２弱化部３０は、被覆片２９の立壁３２と、装着体２２の支持部３８と、を連結している。第２弱化部３０は、立壁３２の上端部と、支持部３８の外周面のうちの、前端部を含む前部と、を連結している。第２弱化部３０は、周方向に間隔をあけて複数設けられている。
【００４１】
装着体２２は、キャップ本体１３および蓋本体１４を形成する材質とは異なる材質で形成されている。装着体２２は、キャップ本体１３および蓋本体１４を形成する材質より硬質の材質で形成されている。なお、装着体２２は、キャップ本体１３および蓋本体１４を形成する材質より軟質の材質で形成されてもよい。
装着体２２を形成する材質の曲げ弾性率は、キャップ本体１３および蓋本体１４を形成する材質の曲げ弾性率より高くなっている。装着体２２は、例えばポリプロピレン等で形成され、キャップ本体１３および蓋本体１４は、例えばポリエチレン等で形成される。
【００４２】
以上説明したように、本実施形態によるヒンジキャップ１によれば、蓋体１５が、蓋本体１４に対する下方移動が規制された状態で、中栓１８に装着された装着体２２を備えているので、蓋本体１４をヒンジ部１６回りに上方に向けて回転させると、装着体２２も中栓１８とともにキャップ本体１３の天壁部１１から上昇することで、第１弱化部１７が引張されて破断され、注出孔１２が開放される。
このように、例えば蓋本体１４を開いた後で第１弱化部１７を破断するのではなく、蓋本体１４を開く操作に連動させて第１弱化部１７を破断し注出孔１２を開放することができる。したがって、開封時の操作性を向上させることができる。
【００４３】
装着体２２が、キャップ本体１３および蓋本体１４を形成する材質とは異なる材質で形成されているので、前述のように第１弱化部１７を破断して注出孔１２を開放させるのに好適な、装着体２２の材質を、例えば内容物の種類等に依らず、適宜選択することができる。
【００４４】
装着体２２が、中栓１８における内筒２３の外周面および外筒２４の内周面の双方に嵌合した装着筒３７を備えているので、装着筒３７を、内筒２３および外筒２４により径方向の両側から挟み込むことが可能になり、前述のように注出孔１２を開放させるときに、中栓１８が装着体２２から外れるのを抑制することができる。
【００４５】
囲繞筒２６の内周面に、径方向の内側に向けて突出し、外筒２４の外周面に形成された第２係合凸部２５に第２係合凸部２５の下方から当接可能な突上げ部２７が形成されているので、蓋本体１４をヒンジ部１６回りに上方に向けて回転させたときに、中栓１８の外筒２４が、突上げ部２７および装着筒３７により径方向の両側から引き上げられることとなり、中栓１８が装着体２２から外れるのを抑制することができる。
【００４６】
第１弱化部１７が、上下方向から見てヒンジ部１６に最も近い部分から、周方向に沿って離れるに従い、下方に向けて延びているので、蓋本体１４をヒンジ部１６回りに上方に向けて回転させたときに、まず、第１弱化部１７のうち、上下方向から見てヒンジ部１６から最も離れた部分が破断し、その後、上下方向から見てヒンジ部１６に最も近い部分に向けて、順次、周方向に沿って破断することとなり、第１弱化部１７を周方向の全長にわたって容易に破断することができる。
【００４７】
操作突片２８の上面に設けられた被覆片２９が、装着体２２に破断可能な第２弱化部３０を介して連結されているので、前述のように注出孔１２を開放させるために、操作突片２８を操作突片２８の下側から突上げたときに、操作突片２８が上方に向けて変形することで、被覆片２９が操作突片２８により突上げられ、第２弱化部３０が破断されることとなる。これにより、未開封状態と、蓋体１５を開いた後、再度、蓋体１５を閉じた状態と、を、被覆片２９の有無で見分けることが可能になり、未開封状態であるか否かを外観で確実に判別することができる。
【００４８】
装着体２２が、キャップ本体１３および蓋本体１４を形成する材質より硬質の材質で形成されているので、装着体２２を中栓１８に強固に装着することが可能になり、前述のように注出孔１２を開放させるときに、中栓１８が装着体２２から外れるのを抑制することができる。
【００４９】
次に、本発明の第２実施形態に係るヒンジキャップ２を、図４および図５を参照しながら説明する。
なお、この第２実施形態においては、第１実施形態における構成要素と同一の部分については同一の符号を付し、その説明を省略し、異なる点についてのみ説明する。
【００５０】
本実施形態では、被覆片４１が、立壁３２を有さず、横壁４２により構成され、装着体４３が、装着筒３７、支持部３８、および立壁４４を備えている。立壁４４は、支持部３８の外周面のうち、前端部を含む前部から下方に向けて延びている。
第２弱化部４５は、被覆片４１の横壁４２と、装着体２２の立壁４４と、を連結している。第２弱化部４５は、横壁４２の後端部と、立壁４４の下端部と、を連結している。
そして、操作突片２８を操作突片２８の下側から突上げたときに、操作突片２８が上方に向けて変形することで、被覆片４１の横壁４２が操作突片２８により突上げられ、第２弱化部４５が破断される。
以上のように構成されたヒンジキャップ２においても、前記実施形態のヒンジキャップ１と同様の作用効果を有する。
【００５１】
本発明は上記した実施の形態に限定されるものではなく、その趣旨を逸脱しない範囲で適宜変更可能である。
【００５２】
蓋本体１４の頂壁部１９に挿入孔２１を形成しなくてもよい。
中栓１８は、内筒２３、および外筒２４のうちのいずれか一方のみを備えてもよい。
装着体２２は、中実の棒状に形成され、内筒２３、および外筒２４のうちのいずれか一方の内側に嵌合されてもよい。
外筒２４の外周面に第２係合凸部２５を形成せず、蓋本体１４の頂壁部１９に囲繞筒２６を設けなくてもよい。囲繞筒２６に突上げ部２７を形成しなくてもよい。囲繞筒２６は、注出筒３５の内周面から径方向の内側に離れてもよい。
【００５３】
第１弱化部１７は、周方向の全長にわたって、上下方向の位置が同じでもよく、後端部から、周方向に沿って前方に離れるに従い、上方に向けて延びてもよい。
操作突片２８は、上方に向けて変形しにくい剛体であってもよい。
操作突片２８の上面に被覆片２９、４１を設けなくてもよい。
【００５４】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５５】
１、２  ヒンジキャップ
１１  天壁部
１２  注出孔
１３  キャップ本体
１４  蓋本体
１５  蓋体
１６  ヒンジ部
１７  第１弱化部
１８  中栓
１９  頂壁部
２１  挿入孔
２２、４３  装着体
２３  内筒
２４  外筒
２５  第２係合凸部（係合凸部）
２６  囲繞筒
２７  突上げ部
２８  操作突片
２９、４１  被覆片
３０、４５  第２弱化部
３７  装着筒
Ｏ  キャップ軸
Ｗ  容器本体
Ｗ１  口部
【図１】
2020193028.tif 000003
【図２】
2020193028.tif 000004
【図３】
2020193028.tif 000005
【図４】
2020193028.tif 000006
【図５】
2020193028.tif 000007